(57)【要約】【課題】着脱可能なサッシ障子であって、見栄えや部屋の使い勝手を損なうことなく、かつ、耐久性、耐衝撃性にも優れたサッシ障子を提供する。【解決手段】建物の開口部に備えられている既存サッシ枠体１３、１３′に着脱可能なサッシ障子１であって、縦枠の一方が既存サッシ枠体１３´に嵌合する嵌合枠３を備えており、他方がサッシ障子１の幅方向に拡幅可能な拡幅枠２を備えていることを特徴とするサッシ障子１により解決される。【選択図】    図２
2010024644.tif 000002
【特許請求の範囲】
【請求項１】
建物の開口部に備えられている既存サッシ枠体に着脱可能なサッシ障子であって、
縦枠の少なくとも一方が前記サッシ障子の幅方向に拡幅可能な拡幅枠を備えていることを特徴とするサッシ障子。
【請求項２】
建物の開口部に備えられている既存サッシ枠体に着脱可能なサッシ障子であって、
縦枠の一方が前記既存サッシ枠体に嵌合する嵌合枠を備えており、
他方が前記サッシ障子の幅方向に拡幅可能な拡幅枠を備えていることを特徴とするサッシ障子。
【請求項３】
前記拡幅枠は、外枠と内枠が摺動可能な二重枠からなることを特徴とする請求項１及び２記載のサッシ障子。
【請求項４】
前記サッシ障子に嵌め込まれるガラスが二重ガラスからなることを特徴とする請求項１から３記載のサッシ障子。
【請求項５】
建物の開口部に備えられている既存サッシ枠体に着脱可能にサッシ障子が取付けられるサッシ構造であって、
前記サッシ障子の縦枠の一方に既存サッシ枠体と嵌合可能な嵌合枠が備えられ、他方に前記サッシ障子の幅方向に拡幅可能な拡幅枠が備えられ、
前記拡幅枠は、外枠と内枠が摺動可能な二重枠からなり、
前記外枠の側壁部と前記内枠の基部には、挿通孔が形成され、
前記挿通孔を介して前記外枠と前記内枠が固定される固定機構が備えられており、
前記嵌合枠が、前記既存サッシ枠体の一方と嵌合し、
前記外枠が前記サッシ障子の幅方向に移動した状態で前記既存サッシ枠体の他方と当接し、
前記固定機構により前記外枠と前記内枠が一体化されて前記既存サッシ枠体と前記サッシ障子が取り付けられていることを特徴とするサッシ構造。
【発明の詳細な説明】
【技術分野】
【０００１】
本発明は、既存のサッシ枠を利用して着脱可能に取り付けることができるサッシ障子及びサッシ構造に関する。
【背景技術】
【０００２】
従来から、断熱性能や遮音性の向上を目的として、防音窓構造が使用されており、また、既存の窓枠を利用して、防音窓を形成する防音窓構造も使用されている。従来の既存窓枠を利用した防音窓として、既存の外側窓枠の室内側に突出するように中間窓枠が一体形成され、該中間窓枠に増設する二重窓枠を両面テープなどの接合材料を用いて固定することにより着脱可能に二重窓を構成する発明が開示されている。
【０００３】
【特許文献１】特開２００７−１２６９１３号公報
【発明の開示】
【発明が解決しようとする課題】
【０００４】
しかし、従来の防音窓構造では、室内側に突出している中間窓枠に増設する二重窓枠を接合するので、新たな窓枠が必要となり、また、増設部分が室内に突出することとなり、見栄えや部屋の使い勝手が損なわれるという問題がある。
【０００５】
さらに、両面テープ等による接合とすると、耐久性、耐衝撃性にも問題がある。
【０００６】
本発明は、既存サッシ枠に着脱可能のサッシ障子であって、新たに窓枠を用いなくとも高い遮音性を有し、見栄えや部屋の使い勝手を損なうことなく、かつ、耐久性、耐衝撃性にも優れた防音窓を提供することを目的とする。
【課題を解決するための手段】
【０００７】
上記の課題は、建物の開口部に備えられている既存サッシ枠体に着脱可能なサッシ障子であって、縦枠の少なくとも一方が前記サッシ障子の幅方向に拡幅可能な拡幅枠を備えていることを特徴とするサッシ障子により解決される。
【０００８】
このサッシ障子によれば、拡幅枠によりサッシ障子の幅長さが調整できるので、様々な建物の開口部に備えられた既存サッシ枠体に取り付けることができる。
【０００９】
また、建物の開口部に備えられている既存サッシ枠体に着脱可能なサッシ障子であって、縦枠の一方が前記既存サッシ枠体に嵌合する嵌合枠を備えており、他方が前記サッシ障子の幅方向に拡幅可能な拡幅枠を備えていることを特徴とするサッシ障子によっても解決される。
【００１０】
このサッシ障子によれば、前記嵌合枠と一方の既存サッシ枠体と嵌合させ、前記拡幅枠を他方の既存サッシ枠体に当接させるように拡幅させることにより、取り付けられるので、新たな枠体を必要とせず、また、施工も容易に行える。
【００１１】
また、前記サッシ障子において、拡幅枠が外枠と内枠が摺動可能な二重枠からなることが好ましい。このように拡幅枠が簡易な構成とされているので、誰でも簡単に前記サッシ障子の幅長さを調整することができる。
【００１２】
さらに、前記サッシ障子に嵌め込まれるガラスは二重ガラスであることが好ましい。この場合、二重ガラスであることにより、十分な遮音性が保たれる。
【００１３】
さらに、建物の開口部に備えられている既存サッシ枠体に着脱可能にサッシ障子が取付けられるサッシ構造であって、前記サッシ障子の縦枠の一方に既存サッシ枠体と嵌合可能な嵌合枠が備えられ、他方に前記サッシ障子の幅方向に拡幅可能な拡幅枠が備えられ、前記拡幅枠は、外枠と内枠が摺動可能な二重枠からなり、前記外枠の側壁部と前記内枠の基部には、挿通孔が形成され、前記挿通孔を介して前記外枠と前記内枠が固定される固定機構が備えられており、前記嵌合枠が、前記既存サッシ枠体の一方と嵌合し、前記外枠が前記サッシ障子の幅方向に移動した状態で前記既存サッシ枠体の他方と当接し、前記固定機構により前記外枠と前記内枠が一体化されて前記既存サッシ枠体と前記サッシ障子が取り付けられていることを特徴とするサッシ構造によっても解決される。
【００１４】
上記サッシ構造によると、既存サッシ枠体とサッシ障子は、一方が嵌合により、他方は当接により取り付けられているので、溶接や接着等の取り付けと違い容易に着脱が可能となる。
【００１５】
また、外枠と内枠が固定機構により一体化されて取り付けられているので、高い遮音性を有し、かつ、耐震性・耐衝撃性にも優れたサッシ構造となる。
【発明の効果】
【００１６】
本発明は以上のとおりであるから、容易に着脱が可能であって、新たに窓枠を用いなくとも高い遮音性を有し、見栄えや部屋の使い勝手を損なうことなく、かつ、耐久性、耐衝撃性にも優れたサッシ障子及びサッシ構造を提供することができる。
【発明を実施するための最良の形態】
【００１７】
次に、本発明の実施最良形態を図面に基づいて説明する。
【００１８】
図１に示す本実施形態は、窓を構成するサッシ障子の構造を示すもので、図１（イ）において、１はサッシ障子、２は拡幅枠、３は嵌合枠、４は上枠、５は下枠、６は二重ガラスとなっており、拡幅枠２と嵌合枠３はサッシ障子を構成する縦枠であり、サッシ障子１は拡幅枠２と嵌合枠３と上枠４と下枠５に二重ガラス６が嵌めこまれることにより構成されている。
【００１９】
そして、拡幅枠２は、図１（ロ）〜（ハ）に示すように、外枠７と内枠８が摺動可能な二重枠で構成されている。外枠７は断面略コ字上の溝型部材であり、側壁部７ａ、７ａ、底壁部７ｂから構成され、側壁部７ａ、７ａには挿通孔７ｃ、７ｃが形成され、底壁部７ｂには嵌合部９が設けられ、間隔が既存のサッシ枠体と合致するように両端に切り欠き部９ａ、中央に凹部９ｂを有している。内枠８は断面略凹上の中空部材であり、基部８ａ、ガラス保持部８ｂから構成され、基部８ａには挿通孔７ｂより横幅が長いスライド孔８ｃが形成されており、スライド孔８ｃの範囲内で外枠７の位置調整が可能となっている。二重ガラス６はガラス保持部８ｂにより保持されている。さらに、外枠７と内枠８を一体化するための固定機構１０がボルト１１とナット１２からなり、ボルト１１が室外側の挿通孔７ｃを頭としてスライド孔８ｃを介して挿通孔７ｃ、７ｃ間に予め溶接等により取り付けられていることが好ましい。
【００２０】
また、嵌合枠３は、断面略凹上の中空部材であり、側壁部３ａ、底壁部３ｂ、ガラス保持部３ｃから構成され、底壁部３ｂには、底壁部７ｂと同様に嵌合部９が設けられている。
【００２１】
上記のようになされているので、拡幅枠２は、外枠７とボルト１１が、スライド孔８ｃの範囲内で幅方向に一体的に移動可能であり、簡易にサッシ障子１の幅を調整することができる。さらに、所定位置に移動後、ボルト１１にナット１２を螺合することにより、外枠７と内枠８を固定して外枠７と打枠８を一体化することができる。
【００２２】
このサッシ障子１を建物の外壁に設けられた既存サッシ枠体１３、１３′に取り付けた状態を図２に示す。なお、既存サッシ枠体１３、１３‘は縦枠であり、従来から使用されている引き違い窓等のサッシ枠体であり、説明上、上枠と下枠は図示しないものとする。
【００２３】
既存サッシ枠体１３、１３′には凸部１４が各々両端部と中央部を合せて３つ設けられおり、拡幅枠２の外枠７の底壁部７ｂに設けられた嵌合部９と嵌合枠３の底壁部３ｂに設けられた嵌合部９とを嵌合することにより取り付けられている。この時、外枠７は既存サッシ枠体１３と嵌合される位置まで内枠８に沿ってボルト１１と一体で幅方向に移動しており、移動後、ボルト１１にナット１２が螺合されることにより、外枠７と内枠８が固定されている。これにより、拡幅枠２と既存サッシ枠体１３はより強固に取り付けられているため、遮音性も十分に保たれている。
【００２４】
次に、図３に示すように、引き違い窓から、ＦＩＸ窓にするためのサッシ障子１への取り換えの手順を説明する。
【００２５】
まず、図３（イ）に示すように既存サッシ枠体１３、１３′に嵌めこまれている引き違いガラス１５、１５を室内側から取り外す。次に、図３（ロ）〜（ハ）に示すように既存枠体１３、１３′内に拡幅枠２を拡幅しない状態にしたサッシ障子１を持っていき、嵌合枠３を嵌合枠３の嵌合部９と既存サッシ枠体１３′の凸部１５を嵌合することにより取り付ける。その後、拡幅枠２の外枠７を外枠７の嵌合部９と既存サッシ枠体１３の凸部１４が嵌合するまで幅方向に移動させる。そして、ボルト１１にナット１２を螺合させることにより外枠７と内枠８を固定して取り付けが完了する。
【００２６】
このようになされているので、容易に引き違い窓からの取り換えが可能であり、既存サッシ枠体１３、１３′を利用して取り付けているので部屋の見栄えが悪くなることもない。また、サッシ障子１は、既存サッシ枠体１３、１３′と嵌合による取り付けなので、着脱が可能であり、引き違い窓に戻すことも可能である。さらに、従来、ＦＩＸ窓は、取り外しができないため、清掃の問題から、１階にしか設けることが出来なかったが、サッシ障子１は着脱が可能であるため、２階以上に設置しても清掃が可能となる。
【００２７】
以上に、本発明の実施形態を示したが、本発明はこれに限られるものではなく、発明思想を逸脱しない範囲で各種の変更が可能である。例えば、ガラスを２重ガラスとしているが、１枚であってもよい。
【００２８】
また、上記実施形態では、ボルトを外枠の側壁部に溶接にて予め取り付けているが、外枠の移動後ボルトを挿通するようにしてもよいし、ボルト以外の方法で固定してもよい。
【図面の簡単な説明】
【００２９】
【図１】本実施形態におけるサッシ障子を示すものであり、（イ）は正面図、（ロ）は横断面図、（ハ）は斜視図である。
【図２】本実施形態におけるサッシ構造を示す横断面図である。
【図３】（イ）〜（二）は本実施形態におけるサッシ障子の取り付け手順を示す横断面図である。
【符号の説明】
【００３０】
１・・・サッシ障子
２・・・拡幅枠
３・・・嵌合枠
３ａ・・・側壁部
３ｂ・・・低壁部
３ｃ・・・ガラス保持部
４・・・上枠
５・・・下枠
６・・・二重ガラス
７・・・外枠
７ａ・・・側壁部
７ｂ・・・低壁部
７ｃ・・・挿通孔
８・・・内枠
８ａ・・・基部
８ｂ・・・ガラス保持部
８ｃ・・・スライド孔
９・・・嵌合部
１１・・・ボルト
１２・・・ナット
１３、１３′・・・既存サッシ枠体
１４・・・凸部
１５・・・引き違いガラス
【図１】
2010024644.tif 000003
【図２】
2010024644.tif 000004
【図３】
2010024644.tif 000005